(57)【特許請求の範囲】
【請求項１】
円筒形透明容器を備えた水深・水温表示付透明採水器であって、
前記円筒形透明容器を立て置いた状態において、該円筒形透明容器の上下の開口部は、中央部の孔から該円筒形透明容器の縁まで、肉厚ドーナツ盤状に被覆されて、この孔に外から挿入装着されるロート状の上部ゴム蓋・下部ゴム蓋をガイドする被覆ガイド部を成し、この被覆ガイド部の孔縁に添わせて、前記上部ゴム蓋・下部ゴム蓋が装着されて上下が閉じられた形となり、閉じられた前記円筒形透明容器内において前記上部ゴム蓋と前記下部ゴム蓋との間は連結管によって連結され、該連結管が前記上部ゴム蓋及び前記下部ゴム蓋の上下において連結される各々の結合部には同時にテグスの一端が留め結合され、各々のテグスは前記上部ゴム蓋・下部ゴム蓋の外に延びてナスカンの一端が留め結合され、前記下部ゴム蓋との連結部近く・前記円筒形透明容器下端手前の内壁面には採水用ノズルが設けられ、前記円筒形透明容器に縦に細長くメインプレートを設け、該メインプレートにセンサーホルダーを取り付け、そこに深度センサー及び水温センサーを有するセンサー容器を納めて固定し、メインプレート上端付近と下端付近の位置に可動軸ガイドを設け、下端側の可動軸ガイドの上方位置に可動軸ストッパーを設け、それに接触的にコの字型フックを隣接し、可動軸ガイドに挿通された可動軸の上端にはメッセンジャー受け部を設け、該メッセンジャー受け部にロープ通し孔を設け、このロープ通し孔に通されるのが芯線入りロープであり、該芯線入りロープは、その一端が、第１のセンサー用ケーブルを介して前記センサー容器に接続される第１のロープ・ケーブル接続コネクターと接続され、他端が、第２のセンサー用ケーブルを介して表示器用コネクターに接続される第２のロープ・ケーブル接続コネクターと接続され、その芯線入りロープに前記深度センサー及び水温センサーの各々のセンサー用芯線と電源線とが編み込まれ、前記深度センサー及び水温センサー以外のセンサー用芯線も追加可能であり、斯様に構成される前記水深・水温表示付透明採水器本体は、前記表示器用コネクター〜表示器のコネクター受け部を介して前記表示器に接続されるものであって、タイムラグなしで同時進行的に前記表示器の表示部で水深・水温が目視できることを特徴とする水深・水温表示付透明採水器。
【発明の詳細な説明】
【技術分野】
【０００１】  本発明は、海・湖沼・河川等の採水・水深・水温を計測する機器に関するものである。
【背景技術】
【０００２】  従来、採水器はバンドン採水器と称し、多数ある。横型・縦型などがあり、採水部の円筒型は乳白色である。ワイヤー・クレモナ・ポリプロピレン等にメジャーを打って深度を計測している。水温の計測は採水後船上に引き上げ、ゴム蓋の隙間に棒状温度計を差し込み計測し、目視で読み取る。採水部のノズルが円筒型の外部にある。フックが釣り針型で２か所のフック止めに１個ずつ掛けている。
【先行技術文献】
【特許文献】
【０００３】    バンドン採水器と称するのは多数ある。
【発明の概要】
【発明が解決しようとする課題】
【０００４】    使用場所は、海・ダム・湖沼・河川等で採水するが、採水時、水の底部が流れ等によりまきあがり、砂・土等が入っていても乳白色のため分からない。水温・採水の終了後わかる。そのため再度採水のしなおしをすることがある。砂・土等が入っていると純粋な水の成分でなくなる。透明だと船上に引き上げた時点で判断でき、手間をはぶける。海等では潮の流れがあるため、ワイヤー・クレモナ・ポリプロピレン等のロープにメジャーを打ってあるが、流れに引かれ実際の水深であるかわからない。水温も船上に引きあげてから、棒状温度計をゴム蓋の隙間に差し込み目視で計測するため、夏場・冬場等は温度変化が早く正確さにかける。また、採水用ノズルが円筒型の外部に取り付けてあり引き上げ時に船にぶつかり破損する事がある。ゴム蓋の中心部からつながるフックは、釣り針型でありフックの止め金具は２カ所にあるため、船上のロープからメッセンジャーを落とし、テンションを掛けてもうまく外れないことがある。
本発明は、以上の問題を解決するためになされたものである。
【課題を解決する手段】
【０００５】    従来の採水器は、水深・水温センサーが装着されていないため正確さにかける。内部が殆ど見えない乳白色の容器に代えて、透明容器を用いる。
以下、円筒型透明容器を立て置いた状態を前提に説明する。
透明容器の上下の開口部は、中央部の孔から円筒容器の縁まで、肉厚ドーナツ盤状に被覆されて、この孔に外から挿入装着されるロート状の上部ゴム蓋・下部ゴム蓋をガイドする被覆ガイド部を成し、この被覆ガイド部の孔縁に添わせて、上部ゴム蓋と下部ゴム蓋が装着されて上下が閉じられた形となる。閉じられた容器内において上部ゴム蓋と下部ゴム蓋との間は連結管によって連結され、連結管の中には水糸を通して、生ゴム製の連結管を補強する。連結管が上部ゴム蓋及び下部ゴム蓋と上下において連結される各々の結合部には同時にテグスの一端が留め結合され、各々のテグスは上部ゴム蓋・下部ゴム蓋の外に延びてナスカンに結合される。下部ゴム蓋との連結部近く・透明容器下端手前の内壁面には採水用ノズルが設けられる。透明容器の側面壁の一箇所・縦中央部・縦方向に取っ手を設ける。この取っ手の真反対側に縦に細長くメインプレートを設け、上中下３か所において、透明容器を巻き周回させた金属保持バンドで固定する。
この様に固定されたメインプレートにおいて、上部寄りの位置にセンサーホルダーを取付け、そこにセンサー容器を納めて結束バンドで固定し、そこより下方位置のメインプレート上端付近と下端付近の位置に可働軸ガイドを設け、下端側の可動軸ガイドの少し上方位置には可動軸ストッパーを設け、それに接触的にコの字型フックを隣接する。可動軸ガイドに挿通された可動軸の上端にはメッセンジャー受け部を設け、メッセンジャー受け部の中央にロープ通し孔を設け、このロープ通し孔に通されるのが芯線入りロープである。芯線いりロープは、センサー用ケーブルによってセンサー容器と接続されるロープ・ケーブル接続コネクターと、表示器に繋がる表示器用コネクターに別のセンサー用ケーブルで繋がるもう一つのロープ・ケーブル接続コネクターとの双方に束ねられて、メインプレートの中間部に設けられた係留ロープ止めに係止される。ここにおける芯線入りロープにはクレモナ・ポリプロピレン等のロープを使用し、そのロープに深度・水温の各々のセンサー用芯線と電源線を編み込むものであるが、張力を計算し編み込むためには５００ｍの芯線用ケーブルが必要であり、水深・水温のセンサー用芯線２本、電源線２本を使用するのであるが、水深・水温以外のセンサー用芯線も追加可能である。芯線入りロープの編み込み後は３７０ｍとなる。芯線入りロープは通常５０ｍ仕様であるが、深度センサーを変更すれば１００ｍまで計測できる。
斯様に構成される採水器本体を表示器用コネクター〜表示器のコネクター受け部を介して表示器に接続すれば、タイムラグなしで同時進行的に表示器の表示部で水深・水温が目視でき、キーボードスイッチの操作でメモリーもできる。表示器には電池ケース蓋付きの電池ボックスが設けられ、電池電源式で作動する。
以上を特徴とする水深・水温表示器付き透明採水器である。
【発明の効果】
【０００６】  本発明は、水深・水温を船上の表示器で表示・メモリーできる。
採水用円筒型が透明であるため、水底の砂・土等の巻き上げが簡単に確認できる。
採水用ノズルが円筒型透明容器の内部に取り付けられているため、破損がない構造である。
上下ゴム蓋のフックにナス管を使用し、可動部の１か所のコの字型フックにナス管を掛けるため、確実にメッセンジャーの衝撃により外れる。
クレモナ・ポリプロピレン等のロープに水深・水温のセンサーと電源・信号線を三つ打ちにより、編み込むことで正確な水深・水温が計測できる。
【図面の簡単な説明】
【０００７】
【図１】  本発明の一部である採水器本体の正面図
【図２】  本発明の一部である芯線入りロープにおける三つ打ち編みの撚り方と断面構造を分かりやすく示した図
【図３】  本発明におけるセンサーホルダーから表示器までをつなぐ接続部分を示す図
【図４】  本発明の一部であるロープ・ケーブル・センサー容器取り付け詳細図
【図５】  本発明の水深・水温の表示器の（Ａ）平面・（Ｂ）側面・（Ｃ）底面を表わした図
【図６】  本発明の一部であるメッセンジャーの（Ｄ）平面図及び（Ｅ）側面図
【発明を実施するための形態】
【０００８】  以下、本発明の実施の形態を説明する。
透明採水容器（１）の内輪に上部ゴム蓋（４）下部ゴム蓋（５）用の被覆ガイド部（２）を設け、上下ゴム蓋は使用時には連結管（１１）の中に水糸（１２）を通し、連結管（１１）に使用する生ゴムの補強をする。連結管（１１）は採水量に見合ったテンションをかけ、連結管（１１）からつながるテグス（８）の装着されたナスカン（７）をコの字型フック（１７）止めて使用する。ロート状の上部ゴム蓋（４）と下部ゴム蓋（５）の中心軸に、連結管（１１）を止める止め金具（６）を設け、それを水糸（１２）で縛り、ボルトで留める。止め金具（６）の一部にテグス用の止め部（９）があり、テグス（８）とナスカン（７）を結ぶ。透明採水容器（１）は金属保持バンド（３）で３か所をボルト・ナット（１０）で止める。透明採水容器（１）の中央部に取っ手（１３）を設け、取っ手（１３）と１８０度の位置にメインプレート（１４）を設け、それにセンサーホルダー（２２）を取り付け、センサー容器（２３）をセンサーホルダー（２２）に収め、結束バンド（３３）等で２か所止める。メインプレート（１４）に取り付けられた可動軸ガイド（１５）２カ所と、可動軸（１６）と可動軸ストッパー（２０）により構成され、メッセンジャー受け部（１８）にメッセンジャー（２５）を落とすと、可動軸（１６）に衝撃が加わり、コイルスプリング（２１）が反応し、コの字型フック（１７）よりナスカン（７）が外れ採水ができる。採水は透明採水容器（１）の内壁面に採水用ノズル（２４）を設ける。メインプレート（１４）に付属するメッセンジャー受け部（１８）のロープ通し孔（２６）に芯線入りロープ（２７）を通し、係留ロープ止め（１９）につなぐ。センサー容器（２３）からセンサー用ケーブル（２８）からつながるシャックル（３２）に、芯線入りロープ（２７）を束ね係留ロープ止め（１９）につなぐ。センサー容器（２３）からセンサー用ケーブル（２８）がロープ・ケーブル接続コネクター（２９）につながり、芯線入りロープ（２７）とつながる。芯線入りロープ（２７）は通常５０ｍ仕様である。深度センサーを変更すれば１００ｍまで計測できる。ロープ・ケーブル接続コネクター（２９）からセンサー用ケーブル（２８）をつなぎ、表示器用コネクター（３０）と接続し、表示器（３７）のコネクター受け部（３６）と接続すると表示部（３４）で水深・水温が目視でき、キーボードスイッチ（３８）の操作でメモリーもできる。表示器（３７）の下方部に電池ボックス（３８）を設け、電池ケース蓋（３９）で押える。
この様にして正確な水深・水温が計測でき採水も楽になる。
【符号の説明】
【０００９】  １    透明採水容器
２    被覆ガイド
３    金属保持バンド
４    上部ゴム蓋
５    下部ゴム蓋
６    止め金具
７    ナスカン
８    テグス
９    テグス用止め部
１０  ボルト・ナット
１１  連結管
１２  水糸
１３  取っ手
１４  メインプレート
１５  可動軸ガイド
１６  可動軸
１７  コの字型フック
１８  メッセンジャー受け部
１９  係留ロープ止め
２０  可動軸ストッパー
２１  コイルスプリング
２２  センサーホルダー
２３  センサー容器
２４  採水用ノズル
２５  メッセンジャー
２６  ロープ通し孔
２７  芯線入りロープ
２８  センサー用ケーブル
２９  ロープ・ケーブル接続コネクター
３０  表示器用コネクター
３１  ロープ接続部
３２  シャックル
３３  結束バンド
３４  表示部
３５  キーボードスイッチ
３６  コネクター受け部
３７  表示器
３８  電池ボックス
３９  電池ケース蓋
【図１】
0006388130.tif 000002
【図２】
0006388130.tif 000003
【図３】
0006388130.tif 000004
【図４】
0006388130.tif 000005
【図５】
0006388130.tif 000006
【図６】
0006388130.tif 000007